(57)【要約】【課題】セルフサービスの設備を備える設備スペースと、客が飲食をする飲食スペースとを有する店舗構造を提供する。【解決手段】本発明の店舗構造１は、セルフサービスの設備１１を備える設備スペース１０と、客が飲食をする飲食スペース３０とを有する。設備スペース１０と飲食スペース３０とは、仕切り２６によって区画されており、仕切り２６は、飲食スペース３０から、設備スペース１０における設備１１及び設備１１の周りの周辺部分１２Ａの視認を可能とする窓２７を備えている。そして、設備１１と周辺部分１２Ａとに跨って、一体的な図柄１５が施されている。【選択図】図１
2018035587.tif 000002
【特許請求の範囲】
【請求項１】
セルフサービスの設備を備える設備スペースと、客が飲食をする飲食スペースと、を有する、店舗構造であって、
前記設備スペースと前記飲食スペースとは、仕切りによって区画されており、
前記仕切りは、前記飲食スペースから、前記設備スペースにおける前記設備及び前記設備の周りの周辺部分の視認を可能とする窓を備え、
前記設備と前記周辺部分とに跨って、一体的な図柄が施されている、
店舗構造。
【請求項２】
前記設備に隣接する目隠し壁を更に備え、前記目隠し壁は、一体的な前記図柄が施されている前記周辺部分として機能する、請求項１に記載の店舗構造。
【請求項３】
前記飲食スペースは、前記窓に隣接する位置に、キッチンを備える、請求項１又は２に記載の店舗構造。
【請求項４】
前記キッチンは、対面式キッチンカウンターで囲われている、請求項３に記載の店舗構造。
【発明の詳細な説明】
【技術分野】
【０００１】
本発明は、セルフサービスの設備を備える設備スペースと、客が飲食をする飲食スペースと、を有する、店舗構造に関する。
【背景技術】
【０００２】
コインランドリーは、セルフサービスの設備を有する設備スペースの一種であり、一般的に、洗濯機、乾燥機、洗濯乾燥機など（以下、「洗濯用設備」と呼ぶ）を備える。これらの利用者は、セルフサービスによって洗濯用設備を利用することができる。特許文献１には、互いに異なる機能を有する複数の設備が、建物として互いに独立して存在するが通路により互いに接続された状態で、予め区画されたエリアに集中して配置された複合施設が開示されている。
【先行技術文献】
【特許文献】
【０００３】
【特許文献１】特開２００１−２０５６２号公報
【発明の概要】
【発明が解決しようとする課題】
【０００４】
コインランドリーは、多くの人に利用される設備となっている。しかしながら、洗濯用設備により衣類を洗濯したり乾燥したりするまでの時間、コインランドリーの利用者は、コインランドリー内に設けられた椅子に腰掛けて待ったり、一旦家に帰ったり買い物に出掛けたりしてコインランドリーを離れ、洗濯物が仕上がる時間を見計らって、再び戻ってくるなど、その待ち時間の使い方（時間つぶし）に苦慮している。
【０００５】
更に、コインランドリーは、一般的に、管理者等がその場にいない無人スペースであるため、女性やトラブル・犯罪を恐れる人はあまり利用しない傾向にある。したがって、コインランドリーにおいては、潜在的な需要に応えられないという問題がある。
【０００６】
そこで、本発明は、セルフサービスの設備を備える設備スペースと、客が飲食をする飲食スペースとを有し、設備スペースの客が飲食スペースで待ち時間をつぶすことが容易で、設備スペースの潜在的な需要に応えることができる店舗構造を提供することを目的とする。
【課題を解決するための手段】
【０００７】
本発明は、セルフサービスの設備を備える設備スペースと、客が飲食をする飲食スペースと、を有する店舗構造であって、設備スペースと飲食スペースとは、仕切りによって区画されており、仕切りは、飲食スペースから、設備スペースにおける設備及び設備の周りの周辺部分の視認を可能とする窓を備え、設備とその周辺部分とに跨って一体的な図柄が施されている店舗構造に関する。
【０００８】
また、設備に隣接する目隠し壁を更に備え、目隠し壁は、一体的な前記図柄が施されている周辺部分として機能することが好ましい。
【０００９】
また、飲食スペースは、窓に隣接する位置に、キッチンを備えることが好ましい。
【００１０】
また、前記キッチンは、対面式キッチンカウンターで囲われていることが好ましい。
【発明の効果】
【００１１】
本発明によれば、セルフサービスの設備を備える設備スペースと、客が飲食をする飲食スペースとを有し、設備スペースの客が飲食スペースで待ち時間をつぶすことが容易で、設備スペースの潜在的な需要に応えることができる店舗構造が提供される。
【図面の簡単な説明】
【００１２】
【図１】本発明の一実施形態である、コインランドリースペースと、カフェスペースと、を有する店舗構造を示す平面図である。
【図２】図１の実施形態のコインランドリースペースと、カフェスペースと、を有する店舗構造の内部を示す正面図である。
【図３】コインランドリースペースに配置された洗濯用設備と洗濯用設備の周りの周辺部分を示す、コインランドリースペースの正面図である。
【図４】図３において、カフェスペース側の洗濯用設備及び洗濯用設備の周りの周辺部分に跨って施された、一体的な図柄の例を示す図である。
【図５】カフェスペースの側から見た店舗構造を表す図である。
【発明を実施するための形態】
【００１３】
〔実施形態〕
以下、本発明の実施形態について図１〜図５を用いて説明する。図１は、本発明の一実施形態である、コインランドリースペースと、カフェスペースと、を有する店舗構造を示す平面図である。図２は、図１の実施形態のコインランドリースペースと、カフェスペースと、を有する店舗構造の内部を示す正面図である。図３は、コインランドリースペースに配置された洗濯用設備と洗濯用設備の周りの周辺部分を示す、コインランドリースペースの正面図であり、図４は、図３において、カフェスペース側の洗濯用設備及び洗濯用設備の周りの周辺部分に跨って施された、一体的な図柄の例を示す図である。そして、図５は、カフェスペースの端から見た店舗構造を表す図である。
【００１４】
〔全体構成〕
図１〜図３に示すように、実施形態１の店舗構造１は、セルフサービスの洗濯用設備１１（１１Ａ〜１１Ｊ）を有するコインランドリースペース１０と、客が飲食をするカフェスペース３０と、を有する。コインランドリースペース１０とカフェスペース３０とは、仕切り２６によって区画されている。仕切り２６は、カフェスペース３０から、コインランドリースペース１０における洗濯用設備１１Ａ〜１１Ｅ及び洗濯用設備１１Ａ〜１１Ｅの周りの周辺部分１２Ａの視認を可能とする窓２７を備えている。
なお、洗濯用設備１１Ａ〜１１Ｊについて、共通する説明を行う際には、単に、洗濯用設備１１という。
【００１５】
図４に示すように、洗濯用設備１１Ａ〜１１Ｅの操作面１１１Ａ〜１１１Ｅと周辺部分１２Ａとに跨って、一体的な図柄１５が施されている。また、図示はしていないが、洗濯用設備１１Ｆ〜１１Ｊの操作面１１１Ｆ〜１１１Ｊと周辺部分１２Ｂとに跨って、図４の図柄１５とは異なる一体的な図柄が施されている。
【００１６】
また、店舗構造１は、洗濯用設備１１に隣接する目隠し壁１２を更に備え、目隠し壁１２は、一体的な図柄１５が施されている周辺部分１２Ａとして機能している。
【００１７】
また、店舗構造１のカフェスペース３０は、窓２７に隣接する位置に、キッチン２０を備えている。キッチン２０は、対面式キッチンカウンター２１で囲われている。
【００１８】
以下に、店舗構造１の各スペースについて更に詳細に説明する。
〔コインランドリースペース１０〕
図１に示すように、コインランドリースペース１０は、プライベートスペース１０１と、セルフサービススペース１０２（１０２Ａ、１０２Ｂ及び１０２Ｃ）と、を有する。
【００１９】
〔プライベートスペース〕
プライベートスペース１０１には、洗濯用設備１１が設置されている。図１及び図２に示すように、洗濯用設備１１Ａ〜１１Ｅは、その操作面１１１Ａ〜１１１Ｅがセルフサービススペース１０２Ａ側に向けられて、配置されている。同様に、洗濯用設備１１Ｆ〜１１Ｊは、その操作面１１１Ｆ〜１１１Ｊがセルフサービススペース１０２Ｂ側に向けられて、配置されている。操作面１１１Ａ〜１１１Ｊは、洗濯用設備１１の前面であって、洗濯用設備１１の利用者が、衣類を出し入れする蓋（不図示）と、洗濯用設備１１の運転メニューを選択するための操作手段（不図示）などを備えている。
なお、操作面１１１Ａ〜１１１Ｊについて、共通する説明を行う際には、単に操作面１１１という。
【００２０】
図３に示すように、周辺部分１２Ａ（詳細は後述）の上方には飾り縁１３が設置されている。飾り縁１３には、照明が設けられていてもよい。
【００２１】
図４に示すように、洗濯用設備１１Ａ〜１１Ｅと周辺部分１２Ａとに跨って、一体的な図柄１５が施されている。この「一体的」とは、広く解釈され、例えば、形状的、色彩的、観念的に一体的なことを意味する。周辺部分１２Ａは、以下に説明する目隠し壁１２の一部であり、飾り縁１３の下方の範囲を示す。
【００２２】
図１及び図２に示すように、プライベートスペース１０１は、洗濯用設備１１を覆い隠すように隣接する目隠し壁１２を更に備えている。飾り縁１３の下方の目隠し壁１２は、洗濯用設備１１Ａ〜１１Ｅの上部及び洗濯用設備１１Ａ、１１Ｅの側面まで延びて、洗濯用設備１１Ａ〜１１Ｅの上部及び側部を覆っている。飾り縁１３の下方の洗濯用設備１１Ａ〜１１Ｅを取り囲んだ目隠し壁１２は、周辺部分１２Ａとして機能している。
【００２３】
飾り縁１３は、操作面１１１Ａ〜１１１Ｅ及び周辺部分１２Ａに施された一体的な図柄１５を目立たせる効果を有する。
【００２４】
同様に、目隠し壁１２は、洗濯用設備１１Ｆ〜１１Ｊの操作面１１１Ｆ〜１１１Ｊを、セルフサービススペース１０２Ｂ側に向けている（不図示）。そして、飾り縁１３の下方の目隠し壁１２は、洗濯用設備１１Ｆ〜１１Ｊの上部及び洗濯用設備１１Ｆ、１１Ｊの側面まで延びて、洗濯用設備１１Ｆ〜１１Ｊの上部及び側部を覆っている。そして、飾り縁１３の下方の洗濯用設備１１Ｆ〜１１Ｊを取り囲んだ目隠し壁１２は、周辺部分１２Ｂとして機能している。
【００２５】
洗濯用設備１１Ｆ〜１１Ｊの操作面１１１Ｆ〜１１１Ｊとその周辺部分１２Ｂとに跨って、図柄１５とは異なる、一体的な図柄（不図示）が施されている。また、同様に、飾り縁１３は、操作面１１１Ｆ〜１１１Ｊ及び周辺部分１２Ｂに施された一体的な図柄を目立たせる効果を有する。飾り縁１３には、照明が設けられていてもよい。
【００２６】
プライベートスペース１０１には、洗濯用設備１１の他、事務机、カフェスペース３０のスタッフ等のための更衣室等が設置されている（不図示）。目隠し壁１２に設けられた扉１７１及び１７２を通じて、スタッフ等は、セルフサービススペース１０２Ａ及び１０２Ｂに出入りすることができる。
【００２７】
〔セルフサービススペース〕
セルフサービススペース１０２は、セルフサービススペース１０２Ａと、セルフサービススペース１０２Ｂと、セルフサービススペース１０２Ｃとを、有する。セルフサービススペース１０２Ａは、コインランドリーの利用者が、洗濯用設備１１Ａ〜１１Ｅを使用するためのスペースである。セルフサービススペース１０２Ｂは、洗濯用設備１１Ｆ〜１１Ｊを使用するためのスペースである。
【００２８】
セルフサービススペース１０２Ｃは、展示ボード１４を見るためのスペースである。展示ボード１４には、洗濯用設備１１の利用方法、注意事項などが記載されている。展示ボード１４は、洗濯用設備１１Ａ、１１Ｆの側面を覆う幅方向寸法を有し、高さ方向に床Ｆから飾り縁１３まで延びている。
【００２９】
〔カフェスペース３０〕
カフェスペース３０は、セルフサービススペース１０２Ａを挟んで洗濯用設備１１Ａ〜１１Ｅの真向いにある。したがって、コインランドリースペース１０とカフェスペース３０とは隣接している。
【００３０】
カフェスペース３０は、キッチン２０と客席とを備える。客席は、例えば、バー３３Ａ及び３３Ｂと、テーブル３１、３２Ａ及び３２Ｂと、それぞれの椅子３４とを、備える。
【００３１】
カフェスペース３０とコインランドリースペース１０とは、仕切り２６によって区画されている。仕切り２６は、カフェスペース３０からコインランドリースペース１０における洗濯用設備１１及び洗濯用設備１１の周りの周辺部分１２Ａの視認を可能とする窓２７を備えている。
【００３２】
仕切り２６は、コインランドリースペース１０から見て、逆コの字形の対面式キッチンカウンター２１の両外縁を結ぶ幅方向寸法を有し、高さ方向に床Ｆから天井Ｔに延びている。窓２７は、キッチン２０の中央から見て、洗濯用設備１１Ａ〜１１Ｅの全景が見渡せる幅方向寸法を有し、高さ方向に床Ｆから天井Ｔに延びている。窓２７には、透明ガラスが嵌めこまれてもよく、また、窓２７は、単なる貫通窓であってもよい。
【００３３】
更に、カフェスペース３０は、窓２７に隣接する位置に、キッチン２０を備えている。
まとめると、コインランドリースペース１０からカフェスペース３０に向けて、コインランドリースペース１０の洗濯用設備１１Ａ〜１１Ｅ及び周辺部分１２Ａと、コインランドリースペース１０のセルフサービススペース１０２Ａと、窓２７を有する仕切り２６と、カフェスペース３０のキッチン２０とが、この順に配列している。
【００３４】
キッチン２０は、図１に示すように、対面式キッチンカウンター２１で囲われている。キッチン２０は、厨房設備２２と、調理テーブル２３、フード２４など、客に対する飲食の提供に必要な設備と、会計用のレジスター設備等（不図示）を有する。
【００３５】
〔本実施形態の効果〕
本実施形態の店舗構造１は、セルフサービスの洗濯用設備１１を備えるコインランドリースペース１０と、客が飲食をするカフェスペース３０と、を有している。そして、コインランドリースペース１０とカフェスペース３０とは、仕切り２６によって区画されている。仕切り２６は、カフェスペース３０から、コインランドリースペース１０における洗濯用設備１１及び洗濯用設備１１の周りの周辺部分１２Ａの視認を可能とする窓２７を備えている。更に、洗濯用設備１１と周辺部分１２Ａに跨って、一体的な図柄１５が施されている。
【００３６】
このため、図５に示すように、カフェスペース３０側からコインランドリースペース１０を見ても、コインランドリースペース１０の大部分が仕切り２６で隠され、仕切り２６の窓２７を通じて目に入ってくるものは、洗濯用設備１１と周辺部分１２Ａとに跨って施されている、一体的な図柄１５のみである。
【００３７】
言い換えると、洗濯用設備１１と洗濯用設備１１の周辺部分１２Ａとが、あたかも一つのキャンパスとなって一体的な図柄が施されることにより、一般的には殺風景な、洗濯用設備１１があることを感じさせず、洗濯用設備１１及びその周辺部分１２Ａが、カフェスペース３０の一つの装飾のように見える。
【００３８】
キッチン２０からコインランドリースペース１０の様子を視認することができるので、防犯上も好ましい。
【００３９】
従って、コインランドリースペース１０の客がカフェスペース３０で待ち時間をつぶすことが容易で、コインランドリースペース１０の潜在的な需要に応えることができる。
【００４０】
また、店舗構造１は、隣接する目隠し壁１２を更に備え、目隠し壁１２は、一体的な図柄１５が施されている周辺部分１２Ａとして機能している。
【００４１】
洗濯用設備１１が操作面１１１を除いて目隠し壁１２の中にあることと、一体的な図柄１５とによって、洗濯用設備１１は目隠し壁１２の一部のように見える。
【００４２】
店舗構造１のカフェスペース３０は、窓２７に隣接する位置にキッチン２０を備える。
【００４３】
カフェスペース３０からも、客が比較的注目するキッチン２０越しに、一体的な図柄１５を視認できる。そのため、図柄１５が装飾として認識され易い。
【００４４】
キッチン２０は、対面式キッチンカウンター２１で囲われている。
【００４５】
対面式キッチンカウンター２１で囲われているキッチン２０は見通しが良いので、一体的な図柄１５は、カフェスペース３０内のコインランドリースペース１０から離れた場所からも、仕切り２６に設けられた窓２７を通じて視認することができる。
【００４６】
〔変形例〕
以上、本発明の実施形態について説明した。しかし、本発明は、上述した実施形態に限定されることはなく、種々の形態で実施することができる。
【００４７】
設備スペースは、コインランドリースペース１０に限定されない。例えば、コインロッカースペースでもよい。その場合、配列されたコインロッカーの正面、又はコインロッカーの正面と目隠し壁とに跨って一体の図柄を施してもよい。同様に、飲食スペースもカフェスペース３０には限定されない。例えば、レストランでもよい。
【００４８】
更に、設備の周りの周辺部分は、目隠し壁に制限されず、例えば、設備の後方の壁面であってもよい。設備の後方の壁面に施された図柄と、設備に施された図柄が、一体的な図柄を形成してもよい。
【符号の説明】
【００４９】
１  店舗構造
１０  コインランドリースペース（設備スペース）
１１、１１Ａ〜１１Ｊ  洗濯用設備（セルフサービスの設備）
１２  目隠し壁
１２Ａ、１２Ｂ  周辺部分
１３  飾り縁
１４  展示ボード
１０１  プライベートスペース
１０２、１０２Ａ〜１０２Ｃ  セルフサービススペース
２０  キッチン
２１  対面式キッチンカウンター
２２  厨房設備
２３  キッチンテーブル
２４  フード
２６  仕切り
２７  窓
３０  カフェスペース（飲食スペース）
【図１】
2018035587.tif 000003
【図２】
2018035587.tif 000004
【図３】
2018035587.tif 000005
【図４】
2018035587.tif 000006
【図５】
2018035587.tif 000007